(57)【特許請求の範囲】
【請求項１】
前側に開口部を有する中空体からなる背もたれ部の下部に、展開状態でマットレスとして使用できる折り畳み式座部を着脱可能に配設すると共に、前記背もたれ部の内部に、前記座部全部が収納可能な収納スペースを形成すると共に、前記開口部を開閉する開閉扉を設け、且つ背もたれ部の底部に前方に引き出し可能な敷板を設けたことを特徴とするソファーベッド。
【請求項２】
開閉扉の表面にクッション材を取り付けたことを特徴とする請求項１記載のソファーベッド。
【発明の詳細な説明】
【０００１】
【発明の属する技術分野】
本発明は、通常はソファーとして使用され、必要に応じてベッドとしても使用できるソファーベッドに関し、特に背もたれ部の下部に折り畳み式座部を着脱可能に装着したソファーベッドに関するものである。
【０００２】
【従来の技術】
従来、通常はソファーとして使用され、必要に応じてベッドとしての使用も可能にされたソファーベッドは、種々の構造のものが提案されている。例えば、背もたれ部を座部の背後に倒伏させてベッドとして使用するもの等がある。
【０００３】
【発明が解決しようとする課題】
このようにソファーにベッドとしての機能を付加するには、座部や背もたれ部を含むソファー自体の縦横のサイズをかなり大きくしなければならず、広い設置スペースを必要とするという問題がある。このことは、狭い部屋で使用する場合に特に問題になる。また、ソファー全体を大型化すると、ソファーの重量が重くなり、ソファーの運搬や移動が困難になると共に、不要時、例えば物置等にしまい込む時や廃棄処分したい時ソファーの収納や解体作業がやり難くなる。
【０００４】
本発明は上記のような課題に鑑みなされたもので、その目的は、１台でソファーとベッドの機能を備え、解体及び組立てが簡単にできるばかりでなく、運搬や移動が容易で、収納場所の省スペース化を図ることができるソファーベッドを提供することにある。
【０００５】
【課題を解決するための手段】
このため本発明は、前側に開口部を有する中空体からなる背もたれ部の下部に、展開状態でマットレスとして使用できる折り畳み式座部を着脱可能に配設すると共に、前記背もたれ部の内部に、前記座部全部が収納可能な収納スペースを形成すると共に、前記開口部を開閉する開閉扉を設け、且つ背もたれ部の底部に前方に引き出し可能な敷板を設けたことを特徴とする。
【０００６】
本発明のソファーベッドの背もたれ部は、収納スペースを持つ中空体からなる。この中空体の前側には、座部を取り外し可能に固定する。座部は背もたれ部の収納スペースに収納可能とする。座部は、折り畳み式マットレスにより作製し展開可能に連結した複数のマットを具備する。
【０００７】
上記構成において、通常のソファーとして使用する際には、背もたれ部の前側に座部を固定する。また、ベッドとして使用するには、座部を前方に長く展開して、マットレスの形態にする。すなわち、重ねていた座部の要素（複数のマット部）を床面に広げることで、マットレスとして機能することになる。
【０００８】
そして、ソファーまたはベッドとして使用しない時は、座部を背もたれ部の中に収納する。この場合、座部は折り畳んで縦置きにして収納する。このように、本発明では通常はソファーとして使用するが、寝るときはベッドとして使用できる。また不使用時には、中空状の背もたれ部の中に座部をコンパクトに収納できる。したがって、１台のソファーをベッドとしても使用できるので、ベッドの設置面積の分だけスペースの縮小化が可能になる。
【０００９】
【発明の実施の形態】
以下に、本発明の実施の形態を図面に示す実施例に基づいて説明する。
図１は本発明に係るソファーベッドの一実施例を示す斜視図、図２は図１のソファーベッドをベッドとして使用する状態を示す斜視図、図３は図１のソファーベッドの前面構造を説明する斜視図、図４は図１のソファーベッドの分解斜視図、図５は図１のソファーベッドに係るスライド部材の詳細構造を示す断面図、図６は図５のスライド部材のレール嵌合部分を示す斜視図、図７は図１のソファーベットの一部断面側面図、図８は図１のソファーベッドの背もたれ部の中に座部を収納した状態を示す一部断面斜視図、図９は本発明に係るソファーベッドの他の実施例を示す斜視図、図１０は図９のソファーベッドの一部側面断面図、図１１は図９のソファーベッドの背もたれ部の中に座部を収納した状態を示す斜視図である。
【００１０】
【実施例１】
本実施例は、中空体からなる背もたれ部の前面下部に、マットレスを兼用する折り畳み式の座部を着脱可能に固定し、この座部を背もたれ部の中に収納可能とし、収納用前側開口部に、クッション材が取り付けられた開閉扉（スライド部材２９）を設けたものである。
【００１１】
図１に示すように、ソファーベッド１は、展開可能な座部２と、上側湾曲面を有する背もたれ部３とからなり、座部２は、後述するマットレス４を折り畳んで作製されている。座部２の前面形状は、前面上部２ａが前面下部２ｂよりも前方に若干突き出るように形成され、これにより、利用者が立ったり座ったりする時や座っている時の足元の動作がし易くなる。背もたれ部３は、利用者が座った時に快適とされる略１０５度程度の背もたれ角度が保てるように前側に傾斜面が設けられると共に、開口した縦長の中空体より形成され、座部２の収納箱としても機能している。
背もたれ部３の前側下部には、座部２が取り外し可能に固定され、座部２の左右方向ＬＲの幅寸法は、背もたれ部３の左右幅Ｗよりも若干小に設定されている。
【００１２】
図２に示すように、座部２を展開させたときは、前後方向ＦＢを長手方向とする矩形状、すなわちマットレス４の形状に変化するようになっている。このマットレス４は、後部折り目５、中央折り目６及び前部折り目７を境にして第１〜第４のマット４ａ〜４ｄに分割されている。さらに本実施例では、第４のマット４ｄは、最前部折り目８を境にして小マット４ｄ１ 、４ｄ２ に分割されている。ここで、小マット４ｄ１ 、４ｄ２は、座部２と背もたれ部３とのバランスを考慮して、背もたれ部３をスリムでコンパクトにするために、マットレス４が背もたれ部３内に収納し難くならないように分割して折り畳むようにしたものである。また、例えばマットレス４の厚みの好ましいサイズとして８０ｍｍのものを用いると、折り畳んで座部２にした場合の高さが３２０ｍｍとなり、ソファーとして使用する際に低すぎることもなく、また、座部２と背もたれ部３とのバランスも良好で、尚且つ、このサイズに合致した背もたれ部３の容積であれば、上記マットレス４以外にも、例えば一人分の寝具類を収納可能な容積を確保できる。
【００１３】
中空状背もたれ部３の縦断面形状は、上方に凸の湾曲形状とされ、図７及び図８に示すように、その内部のスペースには、座部２（マットレス４）が縦置きに収納されるようになっている。図４に示すように、背もたれ部３の主要部は、底板１１、裏板１２及び天板１３を一体的に組み合せて作製されている。底板１１の前後寸法Ｌは、座部２の下部より３段目のマットレス４の高さ寸法Ｈよりもやや長く設定されている。このやや長く設定された部分は、マットレス４を収納する時に、収納作業を容易にするために設ける余裕のスペースで、概ね３５〜５０ｍｍ程度あれば良い。また、底板１１の後縁からは裏板１２が起立し、底板１１と裏板１２の間のＬ形部外周には、細長い略アングル形状の補強後枠１７が固着されている。この裏板１２の上部は、前方にＪ字形に湾曲する天板１３に連続し、天板１３の先端には補強横桟９が嵌められている。
【００１４】
底板１１の前縁には、細長いアングル形の補強前枠１０が固着され、補強前枠１０の鉛直面は、底板１１から第１のマット４ａの厚さ分だけ突出している。補強前枠１０の上部側には、内扉１４が揺動自在に取り付けられている。この内扉１４は、補強前枠１０の上縁に蝶番１５を介して連結された揺動立板１４ａと、揺動立板１４ａの上縁にＵ形係止具１６を介して揺動自在に連結された可動メッシュ１４ｂとからなっている。揺動立板１４ａの両側には、キャッチ凸部１８が取り付けられている。また、可動メッシュ１４ｂの上縁には止め具２３が固定され、止め具２３は、天板１３側の係合部と着脱可能に嵌合できるようされている。
【００１５】
１９は、背もたれ部３の側面を構成する左右の側板で、側板１９の最下部は、底板１１よりも所定寸法だけ下方に突出している。側板１９は、裏板１２及び天板１３のＪ字形周部と対応する湾曲外周部１９ａを有し、側板１９の内面に設けられたキャッチ凹部１９ｂは、揺動立板１４ａ側のキャッチ凸部１８に着脱可能に嵌合される。側板１９内面の後縁及び下縁には、これに沿って嵌合固定用の凹溝２０が形成され、凹溝２０には、底板１１、裏板１２及び天板１３等の外周縁部が着脱自在に嵌合される。
【００１６】
側板１９内面の前後縁及び上縁には、スライド部材２９嵌合用のレール溝２１が形成されている。更に側板１９の上部及び下部の数カ所は、補強横桟９、補強前枠１０及び補強後枠１７にビス２８で固定され、ビス２８を緩めることで側板１９を取り外せるようになっており、たとえ、補強前枠１０及び補強後枠１７の素材と側板１９の素材とが異なる場合でも、側板１９の分解、連結を容易に行うことができるようにされている。一方、レール溝２１内には前記スライド部材２９が摺動可能に嵌合され、レール溝２１の下端にはストッパー栓２２が着脱可能に嵌められている。このストッパー栓２２により、スライド部材２９の移動規制及び着脱が可能になっている。
【００１７】
２４は、補強前枠１０の下側に設けられた敷板である。敷板２４は、敷板２４を全部引き出した時の露出部分が第１のマット４ａの面積に対応した広さになることが望ましく、敷板２４は折り目２５を境にして、前側部分２４ａと後側部分２４ｂに分けられている。ここで、敷板２４の折り目２５のラインは、前側部分が補強前枠１０から揺動立板１４ａの上縁までの高さと対応した広さの所にするのが適当である（図３参照）。２６は、敷板２４の下側に配設された底板カバーである。底板カバー２６の下面側（床面側）はフェルト布等が貼付され、床面設置時に床面を傷つけないようにされている。底板カバー２６の四隅角部は、左右の側板１９の下面に着脱可能に固定され、底板カバー２６と底板１１との間には、敷板２４の厚さよりも若干大きな隙間が形成されている。このため、敷板２４の後側部分２４ｂは、図３に示すように、後側部分２４ｂの前後幅の相当分だけ、補強前枠１０の前方に引き出せるようになっている。２７は、後半部分２４ｂの後縁に固着したストッパーで、ストッパー２７が補強前枠１０の下面後縁に当たることで、敷板２４の前方移動が規制できるようになっている。すなわち、本来ならば台座があってその上にマットレスが載置されており、背もたれと台座とが固着されて背もたれの安定性が保持されるべきところを、本発明では厚みのある台座を取付ける代わりに背もたれ部３の安定性を保つべく、補強前枠１０と、底板カバー２６と、その間をスライドして可動する敷板２４とにより、可能な限り薄くて丈夫な板状のものを用い台座の機能を課している。したがって、本来は固着されるべき部分であるので、補強前枠１０下部と、側板１９前縁下部まで覆う底板カバー２６の隙間と敷板２４との関係はしっかり嵌まり合う状態にして固着状態に近づくようにするのが良い。尚、敷板２４と底板カバー２６に厚みがあると、ベッドとして使用する際に段差となって寝心地が悪くなることは言うまでもない。
【００１８】
２９は、凹形レール溝２１に沿って移動するシャッター様構造のスライド部材である。スライド部材２９は、図５及び図６に示すように、レール溝２１に摺動可能に嵌まった可撓性シート３０と、可撓性シート３０に水平方向に平行に固着された多数本の保持具３１と、保持具３１に膨隆して保持されたクッション材３２とからなっている。これにより、スライド部材２９は、折曲式昇降シャッターのように、各保持具３１同士の間にて折曲自在に変形でき、レール溝２１のアール部分をスムーズに摺動できるようになっている。
【００１９】
図６に示すように、可撓性シート３０のレール嵌合部について言えば、このレール嵌合部の滑りを良くするために、当該端部にエンドキャップ３３を取り付けるのが好ましい。このように構成することで、レール溝２１の差込み口を狭くして奥行きの割合を大きくすることができる。また、レール溝２１及び可撓性シート３０のレール嵌合部には、滑り誘導の役目をする凹凸部を形成することも可能である。尚、スライド部材２９のスライド方向両端には、一本の保持具３１の長さ相当分の平板あるいは取手を取付けるものでも良い。
【００２０】
ここで、裏板１２及び天板１３について補足説明すると、天板１３の上側先端には、補強横桟９が嵌込み方式で取り付けられているが、抜け止のため補強横桟９の数カ所をネジ止めしても構わない。また本実施例では、裏板１２及び天板１３の素材は、ダンボール状またはハニカム状の紙または樹脂を主体にしたものが使用され、大幅な軽量化が図られている。
【００２１】
このソファーベッド１は、通常はリビングルーム等の床面の上に置かれ、休息用のソファーとして使用される。すなわち、図１及び図３に示すように、座部２はこれを折り目５、６及び７に沿って畳んで、４枚のマット４ａ〜４ｄを重ねた状態にする。そして、前方位置に引き出されている敷板２４に座部２を載せ、最下部のマット４ａの後部を補強前枠１０に面ファスナー状の固定具Ｔで固定する。同時に、スライド部材２９はレール溝２１の前側に沿って下降させ、背もたれ部３の前側開口部をスライド部材２９で被う。
【００２２】
これにより、背もたれ部３の下部に座部２が位置固定され、利用者は座部２の上にゆったり座わることができる。この場合、マット４ａは補強前枠１０に固定されているので、座部２の上で利用者が動いても、座部２が位置ずれを起こすことはない。また、利用者の頭部と背中部がスライド部材２９のクッション材３２で支えられるため、利用者は頭部と背中部をゆったりと休めることができる。さらに、座部２の前面下部２ｂが後方に若干凹んでいるので、利用者は立ったり座ったりする時や座っている時の足元の動作がし易くなる。
【００２３】
次に、ソファーベッド１をベッドとして使用するときは、図２に示すように、座部２のマット４ａ〜４ｄを前方に延ばして、等身大よりやや長いマットレス４を作ればよい。これにより、利用者はマットレス４に横たわることができ、たとえマットレス４の上で利用者が寝返りしても、マットレス４が位置ずれすることはない。勿論、必要に応じてマットレス４の上に布団などを敷いて寝ることもできる。
【００２４】
そして、ソファーベッド１を使用しない時は、中空状の背もたれ部３の中に座部２（マットレス４）を収納することができる。収納の際は、スライド部材２９を引き上げて背もたれ部３の前側を開放させ、最下部のマット４ａを補強前枠１０から取り外す。この後、座部２のマット４ａ〜４ｄを折り畳んで重ねたまま、図７あるいは図８に示すように、背もたれ部３内の収納スペースに、座部２を縦置きに収納する。収納後、座部２の前側を内扉１４で被って、止め具２３、キャッチ凸部１８を天板１３側の係合部、側板１９側のキャッチ凹部１９ｂに嵌合保持したのち、スライド部材２９を引き下げて背もたれ部３の前側を閉じる。このようにすると、背もたれ部３内に収納された座部２が外側から見ないうえに、スライド部材２９のシャッター様のデザインが呈されて体裁が良くなる。また、ソファーベッドとして日常的に使用している場合であれば、空いている背もたれ部３内に敷布団以外（敷布団はマットレス４を利用する）の寝具を収納しておくことができる。
【００２５】
本実施例では、背もたれ部３の前方に、展開可能な座部２を設けたことにより、ソファーとして使用できるだけでなく、マットレス（ベッド）４として使用できる。したがって、マットレス４の分だけ収納スペースの縮小化が可能になり、狭い部屋でも場所をとらずに使用することができる。また、ソファーベッド１は、座部２を展開したり折り畳んだりするだけで、マットレス４又はソファーとして簡単にセットでき、しかも収納時においては、背もたれ部３内に座部２が格納されて外観性が良好に維持されると共に、運搬を簡便に行うことができる。特に、背もたれ部３等を軽量な樹脂等で作製すると、ソファー全体の重量がかなり軽くなるので、非力な人でもソファーを容易に運ぶことができる。
【００２６】
【実施例２】
次に、本発明の実施例２について説明する。実施例２は、中空状の側面縦断面略台形の箱体から背もたれ部の前面下部に、マットレス形状に展開可能な折り畳み式座部を着脱可能に嵌合固定し、背もたれ部の内部に座部を収納可能とし、この収納開口部を、水平軸周りに回転する上下分割形の開閉扉により開閉できるようにしたものである。とくに、各部に使用する板状の素材としてはハニカム構造のダンボール・樹脂、ハニカムコアフラッシュ化粧板貼りなどが好適である。
【００２７】
図９に示すように、ソファーベッド３９は、マットレス形状に展開可能な座部４０と、座部４０が前面下部に配設された縦形箱体からなる背もたれ部４２とからなり、背もたれ部４２の両側面部は、縦長の略台形を呈する側板５５より構成されている。座部４０の左右幅は背もたれ部４２の左右幅よりやや小さく、左右の側板５５の内側に、座部４０が着脱可能に嵌合固定されている。
【００２８】
図１０に示すように、背もたれ部４２は前面側が開口し、背もたれ部４２の内部空間（収納スペース）には、座部４０（マットレス４１）が縦置きに収納されるようになっている。背もたれ部４２の開口部上縁側には、開口部を被う開閉扉４８が取り付けられている。開閉扉４８は水平分割部５９を境に、上側可動板５０と下側可動板５１に分けられている。上側可動板５０は天板５２との間に蝶番等のジョイントを介して連結され、下側可動板５１も同様に上側可動板５０と蝶番等のジョイントを介して連結されている。そして、開閉扉４８を上方に開ききると、上側可動板５０と下側可動板５１が折り畳まれた状態で天板５２の上に載置できるようになっている。
【００２９】
背もたれ部４２の上面部、下面部、裏面部はそれぞれ、天板５２、底板５３、背板５４により形成され、底板５３の前縁は側板５５の下部前縁よりも、所定寸法だけ後方側に位置している。側板５５前縁の所定高さには水平段部５６が設けられ、床面から水平段部５６までの高さは、座部４０の高さに対応している。側板５５の水平段部５６よりも上側の上辺部５８は、上方向にいくにつれ後方に傾いて形成され、上辺部５８の上端は、天板５２に固定されている。尚、上側可動板５０の前後幅と天板５２の前後幅の合計は、下側可動板５１の前後幅または側板５５の前後幅と同等とされている。
【００３０】
本実施例において、ソファーベッド３９をソファーとして使用するときは、まず、マット４０ａ〜４０ｄが重なっている状態の座部４０を、背もたれ部４２の前面下部にセットする。次いで、マット４０ａの後縁を底板５３に連結し、開閉扉４８を閉じて、背もたれ部４２の開口部を閉鎖すればよい。また、ソファーベッド３９をマットレス４１として使用するときは、座部４０のマット４０ａ〜４０ｄを縦一列に展開することで、背もたれ部４２の前方床面にマットレス４１が形成される。本実施例では、マットレス４１の厚みを６０ｍｍとして、四つに折り畳んで座部４０にした場合の高さが２４０ｍｍとなるようにされている。
【００３１】
一方、ソファーベッド３９を使用しないときは、マットレス４１を折り畳むと共に、開閉扉４８を上側に開いて、背もたれ部４２の前側を開放し、底板５３の上に座部４０を縦向きにして載せることで、背もたれ部４２の中に座部４０がコンパクトに収納される。
【００３２】
尚、本発明は上記実施例に限定されず、本発明の趣旨を逸脱しない範囲で、種々の応用変形が可能である。例えば、座部の左右両側にはひじ掛け等を設けることもできる。また、座部の広さを大きくして複数人が座れるようにすることも勿論可能である。
【００３３】
【発明の効果】
以上の如く本発明によれば、マットレスを兼用する折り畳み式の座部を中空状の背もたれ部の中に収納可能としたことにより、一台でソファー及びマットレス（ベッド）として使用できるので、マットレスの面積の分だけ設置スペースを縮小させることができる。しかも、不使用時には座部を背もたれ部の中に簡単に収納でき、分解および運搬を容易に行うことができるという優れた効果がある。特に、請求項２によれば、背もたれ部の前面側にクッション材を設けたので、着座者はクッション材に背中を当ててリラックスして着座することができる。
【図面の簡単な説明】
【図１】本発明に係るソファーベッドの一実施例を示す斜視図である。
【図２】図１のソファーベッドをベッドとして使用する状態を示す斜視図である。
【図３】図１のソファーベッドの前面構造を説明する斜視図である。
【図４】図１のソファーベッドの分解斜視図である。
【図５】図１のソファーベッドに係るスライド部材の詳細構造を示す断面図である。
【図６】図５のスライド部材のレール嵌合部分を示す斜視図である。
【図７】図１のソファーベッドの一部断面側面図である。
【図８】図１のソファーベッドの背もたれ部の中に座部を収納した状態を示す一部断面斜視図である。
【図９】本発明に係るソファーベッドの他の実施例を示す斜視図である。
【図１０】図９のソファーベッドの一部側面断面図である。
【図１１】図９のソファーベッドの背もたれ部の中に座部を収納した状態を示す斜視図である。
【符号の説明】
１      ソファーベッド
２      座部
２ａ    前面上部
２ｂ    前面下部
３      背もたれ部
４      マットレス
４ａ    第１のマット
４ｂ    第２のマット
４ｃ    第３のマット
４ｄ    第４のマット
４ｄ１  小マット
４ｄ２  小マット
５      後部折り目
６      中央折り目
７      前部折り目
８      最前部折り目
９      補強横桟
１０    補強前枠
１１    底板
１２    裏板
１３    天板
１４    内扉
１４ａ  揺動立板
１４ｂ  可動メッシュ
１５    蝶番
１６    係止具
１７    補強後枠
１８    キャッチ凸部
１９    側板
１９ａ  湾曲外周部
１９ｂ  キャッチ凹部
２０    凹溝
２１    レール溝
２２    ストッパー栓
２３    止め具
２４    敷板
２４ａ  前側部分
２４ｂ  後側部分
２５    折り目
２６    下底カバー
２７    ストッパー
２８    ビス
２９    スライド部材
３０    可撓性シート
３１    棒状保持具
３２    クッション材
３３    エンドキャップ
３９    ソファーベッド
４０    座部
４１    マットレス
４２    背もたれ部
４０ａ  第１のマット
４０ｂ  第２のマット
４０ｃ  第３のマット
４０ｄ  第４のマット
４８    開閉扉
５０    上側可動板
５１    下側可動板
５２    天板
５３    底板
５４    背板
５５    側板
５６    水平段部
５８    上辺部
５９    水平分割部
【図１】
0003658686.tif 000002
【図２】
0003658686.tif 000003
【図３】
0003658686.tif 000004
【図４】
0003658686.tif 000005
【図５】
0003658686.tif 000006
【図６】
0003658686.tif 000007
【図７】
0003658686.tif 000008
【図８】
0003658686.tif 000009
【図９】
0003658686.tif 000010
【図１０】
0003658686.tif 000011
【図１１】
0003658686.tif 000012